(57)【要約】【課題】スプーン、包丁等の小物検知や鍋無し検知を行う機能を有する炊飯器において、電源電圧が大きく変動しても正しく正確に小物検知を行うようにする。【解決手段】インバータ回路８により商用電源３を整流して得られる単方向電源４を高周波電力に変換し、スイッチング素子７のコレクタ−エミッタ間の電圧を検知するコレクタ−エミッタ間電圧検知手段２５が検知する電圧値と商用電源３より供給される電流を測定する電流検知手段２３が検知する電流値を演算しその演算結果と所定値との大小で炊飯器本体２０に所定の内鍋１が入っているか、あるいは入っているのが所定の内鍋１以外のアルミ鍋、スプーン、包丁等の小物負荷か鍋無しであるかを小物検知手段２６により判断する。電源電圧を測定する電源電圧検知手段２７が検知する電源電圧値によって小物検知手段２６が判断に使用する所定値を変化させる第１の小物検知変更手段２８を有する。【選択図】図１
2007066837.tif 000002
【特許請求の範囲】
【請求項１】
上面が開口した炊飯器本体と、前記炊飯器本体内に着脱自在に収納される内鍋と、前記内鍋を誘導加熱する加熱コイルと、商用電源を整流して得られる単方向電源と、スイッチング素子、共振コンデンサ、平滑回路などを有し前記単方向電源を高周波電力に変換するインバータ回路と、前記スイッチング素子のコレクタ−エミッタ間の電圧を検知するコレクタ−エミッタ間電圧検知手段と、前記商用電源より供給される電流を測定する電流検知手段と、前記電流検知手段より得られる値を基に電流が所定の電流値になるように制御する電流制御手段と、電源電圧を測定する電源電圧検知手段と、前記コレクタ−エミッタ間電圧検知手段が検知する電圧値と前記電流検知手段が検知する電流値を演算しその演算結果と所定値との大小で前記炊飯器本体に前記所定の内鍋が入っているか、あるいは入っているのが前記所定の内鍋以外のアルミ鍋、スプーン、包丁等の小物負荷か鍋無しであるかを判断する小物検知手段とを備え、前記電源電圧検知手段が検知する電源電圧値によって前記小物検知手段が判断に使用する所定値を変化させる第１の小物検知変更手段を有する炊飯器。
【請求項２】
第１の小物検知変更手段に代えて、電源電圧検知手段が検知する電源電圧値によって小物検知手段の演算式を変化させる第２の小物検知変更手段を有する請求項１記載の炊飯器。
【請求項３】
第１の小物検知変更手段に代えて、電源電圧検知手段が検知する電源電圧値によって小物検知手段の演算式と判断に使用する所定値の両方を変化させる第３の小物検知変更手段を有する請求項１記載の炊飯器。
【請求項４】
電源電圧検知手段が検知する電源電圧値によって、第１〜第３のいずれかの小物検知変更手段がどの演算式や判断に使用する所定値を選択したかを記憶する記憶手段を備えた請求項１〜３のいずれか１項に記載の炊飯器。
【請求項５】
電源電圧検知手段が検知する電源電圧値によって、第１〜第３のいずれかの小物検知変更手段がどの演算式や判断に使用する所定値を選択したかを表示する表示手段を備えた請求項１〜３のいずれか１項に記載の炊飯器。
【請求項６】
第１〜第３のいずれかの小物検知変更手段がどの演算式や判断に使用する所定値を変化させる電源電圧値を修正する電圧修正手段を備えた請求項１〜５のいずれか１項に記載の炊飯器。
【発明の詳細な説明】
【技術分野】
【０００１】
本発明は、スプーン、包丁等の小物検知や鍋無し検知を行う機能を有する炊飯器に関するものである。
【背景技術】
【０００２】
従来、内鍋を誘導加熱する炊飯器においては、所定の内鍋以外のアルミ鍋、スプーン、包丁等の小物負荷検知や鍋無し検知を行うといった機能が付加されている（例えば、特許文献１参照）。以下、その構成について図１２を参照しながら説明する。
【０００３】
図１２に示すように、内鍋１は、内部に調理物を入れ加熱コイル２により電磁誘導加熱（以下、ＩＨという）される。商用電源３から交流が供給され、ダイオードブリッジ４によって整流される。平滑コンデンサ５、共振コンデンサ６、トランジスタ７よりなるインバータ回路８により、ＩＨのための高周波電力を発生させる。電力値の制御は電源電流を制御することにより行っている。
【０００４】
まず、カレントトランス９の１次側に電源電流Ｉｉｎが入力される。そしてカレントトランス９の二次側の出力値を抵抗で分圧し、ダイオードブリッジ１０によって整流し、コンデンサによって平滑され、マイクロコンピュータ１１（以下、マイコンという）の入力端子にアナログ−デジタル変換入力（以下、ＡＤ入力という）されて電力値の制御を行う。トランジスタ７のコレクタ−エミッタ間電圧Ｖｃｅは抵抗によって分圧されてトランジスタ１２を通してマイコン１１にＡＤ入力される。
【０００５】
ＩＨの負荷によるＶｃｅ−Ｉｉｎ特性の違いによって、マイコン１１は小物検知処理を行う。炊飯スイッチ１３が押されて、炊飯スタートするとマイコン１１はすぐにＩＨをオンし、トランジスタ７のコレクタ−エミッタ間電圧Ｖｃｅと電源電流ＩｉｎをＡＤ入力し、小物検知を行う。
【０００６】
図１３は、従来例の炊飯器のマイコン１１にＡＤ入力されるトランジスタ７のコレクタ−エミッタ間電圧Ｖｃｅと電源電流Ｉｉｎの関係を示す特性図である。図１３よりわかるように、定格電圧の−１５％から＋１５％の範囲では、直線１を境にして、小物時のＶｃｅ−Ｉｉｎ特性と鍋有時のＶｃｅ−Ｉｉｎ特性が分かれており、この特性を利用して小物検知を行う。なお、鍋無し時はアルミ鍋を入れたときより直線１から離れた特性になるので、鍋無し検知も行うことができる。
【特許文献１】特開平２−１１９８１０号公報
【発明の開示】
【発明が解決しようとする課題】
【０００７】
しかしながら日本国内の場合に比べて、電源事情の悪い海外などにおいては、かなり広い範囲で電源電圧が変動する場合があり、その場合は上記従来の構成においては誤検知を行う可能性がある。
【０００８】
例えば、図１４は従来例の炊飯器のマイコン１１にＡＤ入力されるトランジスタ７のコレクタ−エミッタ間電圧Ｖｃｅと電源電流Ｉｉｎの関係を示す特性図であるが、図１４のように電源電圧の大きな変動があると、特性が変化し、アルミ鍋を入れているにもかかわらず、直線１の鍋有り側の領域にＶｃｅ−Ｉｉｎ特性がなってしまい、誤った検知を行ってしまうといった問題を有していた。
【０００９】
本発明は上記従来の課題を解決するもので、電源電圧が大きく変動しても正しく正確に小物検知を行うようにすることを目的としている。
【課題を解決するための手段】
【００１０】
本発明は上記目的を達成するために、上面が開口した炊飯器本体内に内鍋を着脱自在に収納し、内鍋を加熱コイルにより誘導加熱し、商用電源を整流して得られる単方向電源と、スイッチング素子、共振コンデンサ、平滑回路などを有するインバータ回路により商用電源を整流して得られる単方向電源を高周波電力に変換し、商用電源より供給される電流を測定する電流検知手段より得られる値を基に電流が所定の電流値になるように電流制御手段により制御し、スイッチング素子のコレクタ−エミッタ間の電圧を検知するコレクタ−エミッタ間電圧検知手段が検知する電圧値と電流検知手段が検知する電流値を演算しその演算結果と所定値との大小で炊飯器本体に所定の内鍋が入っているか、あるいは入っているのが所定の内鍋以外のアルミ鍋、スプーン、包丁等の小物負荷か鍋無しであるかを小物検知手段により判断するよう構成し、電源電圧を測定する電源電圧検知手段が検知する電源電圧値によって小物検知手段が判断に使用する所定値を変化させる第１の小物検知変更手段を有するものである。
【００１１】
これにより、電源電圧が大きく変動しても、電圧変動に対応して判断に使用する所定値を変化させることができ、電源電圧が変動しても正確に、小物検知、鍋無し検知を行うことができる。
【発明の効果】
【００１２】
本発明の炊飯器は、電源電圧が大きく変動しても正確に小物検知、鍋無し検知を行うことができる。
【発明を実施するための最良の形態】
【００１３】
第１の発明は、上面が開口した炊飯器本体と、前記炊飯器本体内に着脱自在に収納される内鍋と、前記内鍋を誘導加熱する加熱コイルと、商用電源を整流して得られる単方向電源と、スイッチング素子、共振コンデンサ、平滑回路などを有し前記単方向電源を高周波電力に変換するインバータ回路と、前記スイッチング素子のコレクタ−エミッタ間の電圧を検知するコレクタ−エミッタ間電圧検知手段と、前記商用電源より供給される電流を測定する電流検知手段と、前記電流検知手段より得られる値を基に電流が所定の電流値になるように制御する電流制御手段と、電源電圧を測定する電源電圧検知手段と、前記コレクタ−エミッタ間電圧検知手段が検知する電圧値と前記電流検知手段が検知する電流値を演算しその演算結果と所定値との大小で前記炊飯器本体に前記所定の内鍋が入っているか、あるいは入っているのが前記所定の内鍋以外のアルミ鍋、スプーン、包丁等の小物負荷か鍋無しであるかを判断する小物検知手段とを備え、前記電源電圧検知手段が検知する電源電圧値によって前記小物検知手段が判断に使用する所定値を変化させる第１の小物検知変更手段を有するものであり、電源電圧が大きく変動しても第１の小物検知変更手段が変動に対応して小物検知手段が判断に使用する所定値を変化させることにより、電源電圧が変動しても正確に、小物検知、鍋無し検知を行うことができる。
【００１４】
第２の発明は、上記第１の発明において、第１の小物検知変更手段に代えて、電源電圧検知手段が検知する電源電圧値によって小物検知手段の演算式を変化させる第２の小物検知変更手段を有するものであり、電源電圧が変動しても正確に、小物検知、鍋無し検知を行うことができる。
【００１５】
第３の発明は、上記第１の発明において、第１の小物検知変更手段に代えて、電源電圧検知手段が検知する電源電圧値によって小物検知手段の演算式と判断に使用する所定値の両方を変化させる第３の小物検知変更手段を有するものであり、電源電圧が変動しても正確に、小物検知、鍋無し検知を行うことができる。
【００１６】
第４の発明は、上記第１〜３のいずれか１つの発明において、電源電圧検知手段が検知する電源電圧値によって、第１〜第３のいずれかの小物検知変更手段がどの演算式や判断に使用する所定値を選択したかを記憶する記憶手段を備えたものであり、不良品の解析における分析用データとして有意義に使用することができる。
【００１７】
第５の発明は、上記第１〜３のいずれか１つの発明において、電源電圧検知手段が検知する電源電圧値によって、第１〜第３のいずれかの小物検知変更手段がどの演算式や判断に使用する所定値を選択したかを表示する表示手段を備えたものであり、不良品の解析における分析用データとして有意義に使用することができる。
【００１８】
第６の発明は、上記第１〜５のいずれか１つの発明において、第１〜第３のいずれかの小物検知変更手段がどの演算式や判断に使用する所定値を変化させる電源電圧値を修正する電圧修正手段を備えたものであり、炊飯器の製造条件の変化などで正確に小物検知を行うためには演算式や判断に使用する所定値を変化させる電源電圧値を修正する必要が生じた場合に容易に変更することができ、条件変化などにも対応して正確に小物検知をすることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１の炊飯器の制御系の構成を示すブロック図であり、図２は同炊飯器の断面図であり、図３は同炊飯器の回路図である。
【００２１】
図１および図２に示すように、内鍋１は上方が開口した炊飯器本体２０内に着脱自在に収納されており、この内鍋１は加熱コイル２により誘導加熱される。単方向電源４は商用電源３を整流して得られるもので、図３に示すように、ダイオードブリッジで構成している。この単方向電源４を基に平滑回路５、共振コンデンサ６、スイッチング素子７を有するインバータ回路８によりＩＨのための高周波電力を発生させる。
【００２２】
電流検知手段９は商用電源３より供給される電流Ｉｉｎを測定するもので、カレントトランス９の１次側に電流Ｉｉｎを入力し、２次側の出力値を抵抗で分圧し、ダイオードブリッジ１０によって整流し、コンデンサによって平滑して、電源瀬水魚手段２４を構成するマイコン１１の入力端子にＡＤ入力している。ここで、マイコン１１は、電流制御手段２４の他、後述する小物検知手段１６と第１の小物検知変更手段２８を構成している。
【００２３】
電流制御手段２４は電流検知手段２３より得られる値を基に電流Ｉｉｎが所定の電流値になるように制御することによって電力値を制御している。コレクタ−エミッタ間電圧検知手段２５は、スイッチング素子７のコレクタ−エミッタ間電圧Ｖｃｅを抵抗によって分圧してトランジスタ１２を通して、小物検知手段１６を構成するマイコン１１にＡＤ入力し、スイッチング素子７のコレクタ−エミッタ間電圧Ｖｃｅ検知する。
【００２４】
小物検知手段２６は電流検知手段２３により検知した電流Ｉｉｎとコレクタ−エミッタ検知手段２５により検知したスイッチング素子７のコレクタ−エミッタ間電圧Ｖｃｅを用いて演算し、その演算結果と所定値との大小で炊飯器本体２０に所定の内鍋１が入っているか、あるいは入っているのが所定の内鍋１以外のアルミ鍋、スプーン、包丁等の小物負荷か鍋無しであるかを判断するようにしている。
【００２５】
すなわち、炊飯スイッチ１３が押されて、炊飯スタートするとマイコン１１はすぐにＩＨをオンし、電流検知手段２３により検知した電流Ｉｉｎとスイッチング素子７のコレクタ−エミッタ間電圧ＶｃｅをＡＤ入力し、ＩＨの負荷によるＶｃｅ−Ｉｉｎ特性の違いによって小物検知を行う。
【００２６】
電源電圧検知手段２７は電源電圧の測定するもので、電源電圧Ｖｉｎをは抵抗によって分圧し、トランジスタ３１を通して、第１の小物検知変更手段２８を構成するマイコン１１にＡＤ入力している。この電源電圧検知手段２７により検知した電源電圧値によって第１の小物検知変更手段２８は小物検知手段２６が判断に使用する所定値を変化させるようにしている。なお、図２にて、コンセント２９によって商用電源３が供給され、基板３０により各種制御を行っている。
【００２７】
上記構成において図４を参照しながら動作を説明する。図４は本実施の形態のマイコン１１の動作を示すフローチャートである。
【００２８】
図４は小物検知のモジュールの動作であり、ステップ３３でＩＨがオンしているかどうかを判断し、ＩＨがオンしていれば小物検知を行う。ステップ３４でスイッチング素子７のコレクタ−エミッタ間電圧ＶｃｅをＡＤ入力し、ステップ３５で電流検知手段２３により検知した電流ＩｉｎをＡＤ入力し、ステップ３６で電源電圧ＶｉｎをＡＤ入力する。
【００２９】
ステップ３７でＶｃｅＡＤ値とＩｉｎＡＤ値の演算を行い、ステップ３８で電源電圧Ｖｉｎが１００Ｖより低いかを判定し、電源電圧Ｖｉｎが１００Ｖ未満ならばステップ３９へ進み、電源電圧による判定値をαにし、ステップ３８で電源電圧Ｖｉｎが１００Ｖ以上ならばステップ４０へ進み、ＶｃｅＡＤ値が大きくなってくるので、電源電圧による判定値をβに変更することによって補正する。
【００３０】
ステップ４１で演算結果と判定値を比較し、小物あるいは鍋無しならば、ステップ４２で液晶表示素子３２にエラーコードを表示するといった鍋無し処理を行う。
【００３１】
以上のように、本実施の形態においては、電源電圧検知手段２７が検知する電源電圧値によって小物検知手段２６が判断に使用する所定値を変化させる第１の小物検知変更手段２８を有するので、電源電圧が大きく変動しても第１の小物検知変更手段２８が変動に対応して小物検知手段２６が判断に使用する所定値を変化させることにより、電源電圧が変動しても正確に、小物検知、鍋無し検知を行うことができる。
【００３２】
なお、本実施の形態では、エラーコードを表示するといった鍋無し処理であるが、負荷をオフする、炊飯を終了するといった処理でもよいことはいうまでもない。
【００３３】
（実施の形態２）
図５は、本発明の実施の形態２の炊飯器の制御系の構成を示すブロック図である。
【００３４】
図５に示すように、第２の小物検知手段５０は電源電圧検知手段２７が検知する電源電圧値によって小物検知手段２６が判断に使用する演算式を変更させるように構成している。他の構成は上記実施の形態１と同じであり、同一符号を付して説明を省略する。
【００３５】
上記構成において図６を参照しながら動作を説明する。図６は本実施の形態のマイコン１１の動作を示すフローチャートである。
【００３６】
ステップ５１でＩＨがオンしているかどうかを判断し、ＩＨがオンしていれば小物検知を行う。ステップ５２でスイッチング素子７のコレクタ−エミッタ間電圧ＶｃｅをＡＤ入力し、ステップ５３で電流検知手段２３により検知した電流ＩｉｎをＡＤ入力し、ステップ５４で電源電圧ＶｉｎをＡＤ入力する。
【００３７】
ステップ５５で電源電圧による判定値を決定し、ステップ５６で電源電圧Ｖｉｎが１００Ｖより低いかを判定し、電源電圧Ｖｉｎが１００Ｖ未満ならばステップ５７へ進み、演算式
Ａ＝ＶｉｎＡＤ値−ＩｉｎＡＤ値
にて演算を行い、電源電圧Ｖｉｎが１００Ｖ以上ならばステップ５８へ進み、演算式
Ａ＝ＶｉｎＡＤ値−ＩｉｎＡＤ値×２
にて演算を行う。すなわち、ステップ５６で電源電圧Ｖｉｎが１００Ｖ以上のときはＶｃｅＡＤ値が大きくなってくるので、補正のためにステップ５８でＩｉｎＡＤ値に２を掛ける演算式に変更する。ステップ５９で演算結果と判定値を比較し、小物あるいは鍋無しならば、ステップ６０で鍋無し処理を行う。
【００３８】
以上のように、本実施の形態においては、上記実施の形態１の第１の小物検知変更手段２８に代えて、電源電圧検知手段２７が検知する電源電圧値によって小物検知手段２６の演算式を変化させる第２の小物検知変更手段５０を有するので、電源電圧が変動しても正確に、小物検知、鍋無し検知を行うことができる。
【００３９】
（実施の形態３）
図７は、本発明の実施の形態３の炊飯器の制御系の構成を示すブロック図である。
【００４０】
図７に示すように、第３の小物検知変更手段は、電源電圧検知手段２７が検知する電源電圧値によって小物検知手段２６の演算式と判断に使用する所定値の両方を変化させるように構成している。他の構成は上記実施の形態１と同じであり、同一符号を付して説明を省略する。
【００４１】
上記構成において図８を参照しながら動作を説明する。図８は本実施の形態のマイコン１１の動作を示すフローチャートである。
【００４２】
ステップ７１でＩＨがオンしているかどうかを判断し、ＩＨがオンしていれば小物検知を行う。ステップ７２でスイッチング素子７のコレクタ−エミッタ間電圧ＶｃｅをＡＤ入力し、ステップ７３で電流検知手段２３により検知した電流ＩｉｎをＡＤ入力し、ステップ７４で電源電圧ＶｉｎをＡＤ入力する。
【００４３】
ステップ７５で電源電圧Ｖｉｎが１００Ｖより低いかを判定し、電源電圧Ｖｉｎが１００Ｖ未満ならばステップ７６へ進み、演算式
Ａ＝ＶｉｎＡＤ値−ＩｉｎＡＤ値
を決定し、ステップ７７で判定値を決定する。ステップ７５で電源電圧Ｖｉｎが１００Ｖ以上のときはＶｃｅＡＤ値が大きくなってくるので、補正のためにステップ７８でＩｉｎＡＤ値に２を掛ける演算式
Ａ＝ＶｉｎＡＤ値−ＩｉｎＡＤ値×２
に変更し、ステップ７９でさらに判定値を変更する。ステップ８０で演算結果と判定値を比較し、小物あるいは鍋無しならば、ステップ８１で鍋無し処理を行う。
【００４４】
以上のように、本実施の形態においては、上記実施の形態１の第１の小物検知変更手段２８に代えて、電源電圧検知手段２７が検知する電源電圧値によって小物検知手段２６の演算式と判断に使用する所定値の両方を変化させる第３の小物検知変更手段７０を有するので、電源電圧が変動してもより広い電源電圧範囲で正確に小物検知、鍋無し検知を行うことができる。
【００４５】
（実施の形態４）
図９は、本発明の実施の形態４の炊飯器の制御系の構成を示すブロック図である。
【００４６】
図９に示すように、記憶手段９０は、電源電圧検知手段２７が検知する電源電圧値によって、第１の小物検知変更手段２８により小物検知手段２６が判断に使用するどの所定値を選択したかを記憶するように構成している。他の構成は上記実施の形態１と同じであり、同一符号を付して説明を省略する。
【００４７】
上記構成において動作を説明する。電源電圧検知手段２７により検知した電源電圧値によって第１の小物検知変更手段２８は小物検知手段２６が判断に使用する所定値を変化させる。このとき、どの判断値を使用したかを記憶手段９０に記憶することにより、鍋無し誤検知などの問題が発生した場合の解析を容易にすることができる。
【００４８】
以上のように、本実施の形態においては、電源電圧検知手段２７が検知する電源電圧値によって、第１の小物検知変更手段２８が判断に使用するどの所定値を選択したかを記憶する記憶手段９０を備えたので、不良品の解析における分析用データとして有意義に使用することができる。
【００４９】
なお、本実施の形態では、記憶手段９０は、電源電圧検知手段２７が検知する電源電圧値によって、小物検知手段２６が判断に使用するどの所定値を選択したかを記憶するようにしているが、上記実施の形態２または３と同様に、小物検知手段２６が判断に使用するどの演算式を選択したか、またはどの演算式と所定値を選択したかを記憶してもよく、同様の作用効果を得ることができる。
【００５０】
（実施の形態５）
図１０は、本発明の実施の形態５の炊飯器の制御系の構成を示すブロック図である。
【００５１】
図１０に示すように、表示手段１００は、電源電圧検知手段２７が検知する電源電圧値によって、第１の小物検知変更手段２８により小物検知手段２６が判断に使用するどの所定値を選択したかを表示するように構成している。他の構成は上記実施の形態１と同じであり、同一符号を付して説明を省略する。
【００５２】
上記構成において動作を説明する。電源電圧検知手段２７により検知した電源電圧値によって第１の小物検知変更手段２８は小物検知手段２６が判断に使用する所定値を変化させる。このとき、どの判断値を使用したかを表示手段１００に記憶することにより、鍋無し誤検知などの問題が発生した場合の解析を容易にすることができる。
【００５３】
以上のように、本実施の形態においては、電源電圧検知手段２７が検知する電源電圧値によって、第１の小物検知変更手段２８が判断に使用するどの所定値を選択したかを表示する表示手段１００を備えたので、不良品の解析における分析用データとして有意義に使用することができる。
【００５４】
なお、本実施の形態では、表示手段１００は、電源電圧検知手段２７が検知する電源電圧値によって、小物検知手段２６が判断に使用するどの所定値を選択したかを記憶するようにしているが、上記実施の形態２または３と同様に、小物検知手段２６が判断に使用するどの演算式を選択したか、またはどの演算式と所定値を選択したかを表示してもよく、同様の作用効果を得ることができる。
【００５５】
（実施の形態６）
図１１は、本発明の実施の形態６の炊飯器の制御系の構成を示すブロック図である。
【００５６】
図１１に示すように、電圧修正手段１１０は、第１の小物検知変更手段２８により小物検知手段２６が判断に使用する所定値を変化させる電源電圧値を修正するように構成している。他の構成は上記実施の形態１と同じであり、同一符号を付して説明を省略する。
【００５７】
上記構成において動作を説明する。電源電圧検知手段２７が検知する電源電圧値によって第１の小物検知変更手段２８は小物検知手段２６が判断に使用する所定値を変化させるが、その判断値を変化させる電源電圧の所定値を電圧修正手段１１０で修正する。電圧変更手段１１０による変更で、市場で鍋無し誤検知などの問題があった場合でも速やかに対応が可能になる。
【００５８】
以上のように、本実施の形態においては、第１の小物検知変更手段２８が判断に使用する所定値を変化させる電源電圧値を修正する電圧修正手段１１０を備えたので、炊飯器の製造条件の変化などで正確に小物検知を行うために判断に使用する所定値を変化させる電源電圧値を修正する必要が生じた場合に容易に変更することができ、条件変化などにも対応して正確に小物検知をすることができる。
【００５９】
なお、本実施の形態では、電圧修正手段１１０は、第１の小物検知変更手段２８により小物検知手段２６が判断に使用する所定値を変化させる電源電圧値を修正するようにしているが、上記実施の形態２または３と同様に、小物検知手段２６が判断に使用する演算式を変化させたり、または演算式と所定値の両方を変化させてもよく、同様の作用効果を得ることができる。
【産業上の利用可能性】
【００６０】
以上のように、本発明にかかる炊飯器は、電源電圧が大きく変動しても正確に小物検知、鍋無し検知を行うことができるので、スプーン、包丁等の小物検知や鍋無し検知を行う機能を有する炊飯器として有用である。
【図面の簡単な説明】
【００６１】
【図１】本発明の実施の形態１の炊飯器の制御系の構成を示すブロック図
【図２】同炊飯器の断面図
【図３】同炊飯器の回路図
【図４】同炊飯器のマイコンの動作を示すフローチャート
【図５】本発明の実施の形態２の炊飯器の制御系の構成を示すブロック図
【図６】同炊飯器のマイコンの動作を示すフローチャート
【図７】本発明の実施の形態３の炊飯器の制御系の構成を示すブロック図
【図８】同炊飯器のマイコンの動作を示すフローチャート
【図９】本発明の実施の形態４の炊飯器の制御系の構成を示すブロック図
【図１０】本発明の実施の形態５の炊飯器の制御系の構成を示すブロック図
【図１１】本発明の実施の形態６の炊飯器の制御系の構成を示すブロック図
【図１２】従来の炊飯器の回路図
【図１３】同炊飯器のマイコンにＡＤ入力されるＶｃｅとＩｉｎの関係特性図
【図１４】同炊飯器の電源電圧の変動が大きい時にマイコンにＡＤ入力されるＶｃｅとＩｉｎの関係特性図
【符号の説明】
【００６２】
１  内鍋
２  加熱コイル
３  商用電源
４  単方向電源
５  平滑回路
６  共振コンデンサ
７  スイッチング素子
８  インバータ回路
２０  炊飯器本体
２３  電流検知手段
２４  電流制御手段
２５  コレクタ−エミッタ間電圧検知手段
２６  小物検知手段
２７  電源電圧検知手段
２８  第１の小物検知変更手段
【図１】
2007066837.tif 000003
【図２】
2007066837.tif 000004
【図３】
2007066837.tif 000005
【図４】
2007066837.tif 000006
【図５】
2007066837.tif 000007
【図６】
2007066837.tif 000008
【図７】
2007066837.tif 000009
【図８】
2007066837.tif 000010
【図９】
2007066837.tif 000011
【図１０】
2007066837.tif 000012
【図１１】
2007066837.tif 000013
【図１２】
2007066837.tif 000014
【図１３】
2007066837.tif 000015
【図１４】
2007066837.tif 000016